(57)【特許請求の範囲】
【請求項１】
ハウジングから成るスイッチ本体と、前記ハウジング内側から外側に向けて貫通する操作軸と、該操作軸に傾動軸部を設けて前記ハウジングに傾動可能に軸支するとともに前記操作軸の傾動操作を検知する検知手段を前記スイッチ本体内に内蔵し、しかも前記操作軸のハウジング外側端部近傍に操作部に挿設する膨出部を形成し、緩衝部材を内設した前記操作部内に前記膨出部を挿設後ストップリングを配設し、前記緩衝部材に前記膨出部が当接するとともに前記ストップリングが前記操作部に嵌着して前記膨出部を前記操作部内に配設することで前記操作軸に前記操作部を回動自在に係止するとともに前記操作部と前記傾動軸部間に前記操作軸の傾動復帰手段を配設したことを特徴とするレバースイッチ。
【発明の詳細な説明】
【０００１】
【発明の属する技術分野】
本発明は、電気・電子機器類及び遊戯機器等に使用されるレバースイッチに関する。
【０００２】
【従来の技術】
図６は従来のレバースイッチの断面図である。
この従来のレバースイッチは箱型の筐体に操作軸を収納し、筐体内部で操作軸に引張バネを係止して左右傾動操作による復帰力を操作軸に与えている。
また、図７は円柱状の筐体内部に操作軸を収納し、筐体内部で操作軸にコイルバネを係止して左右傾動操作による復帰力を操作軸に与えている。
【０００３】
【発明が解決しようとする課題】
図６の従来のレバースイッチにおいては引張バネの係止スペースを確保する必要があるため、スイッチ本体が大きくなり、取付機器の省スペース化に貢献できないという問題があった。
また、図７については図６に比べて省スペース化が図られるものの、操作軸の復帰手段がスイッチ本体内部に位置しているため、コイルバネの固定が組付け難く、さらに復帰手段の駆動スペースがスイッチ内部を占有するため、操作面側に設けた発光素子等と配線部分との連結が極めて困難になるという問題があった。
本発明は上記の問題を解決し、機器の省スペース化とレバースイッチの組立性の改善を図り、スイッチ操作面に配置した発光素子等との接続を容易にするとともに安価で耐久性に優れたレバースイッチを提供する目的で発明されたものである。
【０００４】
【課題を解決するための手段】
ハウジングから成るスイッチ本体と、前記ハウジング内側から外側に向けて貫通する操作軸と、該操作軸に傾動軸部を設けて前記ハウジングに傾動可能に軸支するとともに前記操作軸の傾動操作を検知する検知手段を前記スイッチ本体内に内蔵し、しかも前記操作軸のハウジング外側端部近傍に操作部に挿設する膨出部を形成し、緩衝部材を内設した前記操作部内に前記膨出部を挿設後ストップリングを配設し、前記緩衝部材に前記膨出部が当接するとともに前記ストップリングが前記操作部に嵌着して前記膨出部を前記操作部内に配設することで前記操作軸に前記操作部を回動自在に係止するとともに前記操作部と前記傾動軸部間に前記操作軸の傾動復帰手段を配設する。
【０００５】
【発明の実施の形態】
本発明のレバースイッチは、スイッチ本体を構成するハウジングの外部に傾動復帰手段を配置したため、スイッチ本体部を小さく構成して機器の省スペース化に貢献できるとともに、傾動復帰部の組立作業などを容易にして安価で、耐久性に優れるレバースイッチを提供することができる。
また、操作軸に回転自在に操作部を係止したので、操作軸自体を回転させる必要がなく、構造を単純化することが可能となった。
【０００６】
【実施例】
以下、本実施例について図面を参照しながら詳細に説明する。
図１は本発明のレバースイッチの第１実施例を表す正面断面図である。また、図２はその側面断面図であり、図３はその分解斜視図である。
さらに図４はその操作状態を表す正面断面図であり、図５は機器に取付けられた使用状態を表す参考外観透視図である。
【０００７】
これらの図において、球体の操作部１には鋳込み金具２が一体成形等により固定され、鋳込み金具２の内径部には円周状に２ヶ所の凹所２ａ、２ｂが形成されている。
そして、奥側の凹所２ａには緩衝部材としてＯリング１２が予め装着されている。
【０００８】
操作軸３には膨出部３ａと段部３ｂが設けられるとともに、傾動軸部として横穴部３ｃが加工され、さらに後述する検知手段であるフォトインタラプタ９の遮光軸部３ｄを操作軸３の先端近傍に形成している。
【０００９】
スイッチ本体を構成するハウジング６は円柱形状からなり、上部に傘状の鍔部６ｂと前記操作軸３の傾動動作を案内する楕円状の凹所６ａを形成するとともに操作軸３の横穴部３ｃを貫通するカシメピン７を固定するための横穴部６ｄが形成されている。
一方、検出部分はプリント基板８にフォトインタラプタ９とコネクタ１０を表裏にそれぞれはんだ付けにより接続固定している。
【００１０】
組立方法は、まずＯリング１２を装着した操作部１に操作軸３を挿通した後、ストップリング１３を鋳込み金具２手前側の凹所２ｂに嵌着掛止して操作部１と操作軸３を回転自在に係止する。
ストップリング１３には一部に欠所１３ａを設けて両端部間に一定の間隙を持たせているので、鋳込み金具２の狭い入口はこの欠所１３ａを閉じた状態で入り込み、凹所２ｂにおいてストップリング１３の弾性により復元して操作軸３の膨出部３ａを支持する。
ストップリング１３外径と凹所２ｂの内径は略同一寸法に設定しているため、操作部１に引き抜き力が加えられてもストップリング１３が凹所２ｂの内径以上に広がることがなく、操作軸３から操作部１が離脱することがない。
【００１１】
さらにＯリング１２が緩衝部材となって作用するため適度な回転トルクを与えて操作部１の空転を防止する効果を発揮する。
この際、緩衝部材はＯリング１２に限定されることはなく、ばね座金や発泡部材、さらに操作軸３内部にコイルバネを配設するなど様々な応用構成例が考えられる。
【００１２】
次に操作軸３の下方から復帰部材であるコイルバネ４を操作軸３の段部３ｂに一端を支持させて組込み、さらに操作軸３下方からスリーブ５を貫通させてコイルバネ４の他端部をスリーブ５に設けた鍔部５ａで保持し、コイルバネ荷重を操作軸３の軸方向に付勢させた状態でハウジング６上方から組み入れ、カシメピン７でハウジング６横穴と操作軸３の横穴を挿通し、カシメピン７の一端を加締めて係止する。
この状態でスリーブ５を介してコイルバネ荷重が操作軸３とハウジング６間に付勢されているので、操作軸３は常に中立状態に保持されている。
【００１３】
そして最後に、フォトインタラプタ９とコネクタ１０がはんだ付けされたプリント基板８をハウジング６の下方から組入れた後、裏蓋１１をハウジング６に凹凸嵌着して本発明のレバースイッチが完成する。
【００１４】
図４は本発明のレバースイッチを操作した状態を表す正面断面図である。
前述のように組立てられたレバースイッチは左右何れかの方向に操作部１を傾動することにより、操作軸３の遮光軸部３ｄがフォトインタラプタ９の光軸を遮光していた状態から遮光していない状態へと変化することにより操作を検出し、操作部１から手を離すとコイルバネ４の弾発力により操作軸３が中央に復帰するように作用する。
【００１５】
以上のように構成されたレバースイッチは、操作軸３と復帰手段をカシメピンだけでハウジング６に止めることができるため、従来のレバースイッチと比べ、構成部品の部品点数を低減することができるとともに組立が極めて容易であるため、コストを低く抑えることができるという優れた特徴を有している。
【００１６】
また、操作軸３の復帰手段を操作部１と横穴部３ｃの間に配設したので、レバースイッチ本体の高さを著しく小さくすることができるため取付機器の省スペース化に貢献することができる。
【００１７】
【発明の効果】
以上、詳細に説明したように、本発明によれば次のような効果を奏することができる。
（１）操作軸の端部近傍に操作部を回動自在に係止するとともに操作部と傾動軸部間に傾動復帰手段を配設したので、レバースイッチ本体の高さを著しく小さくすることができるため取付機器の省スペース化に貢献することができる。
（２）操作軸が貫通するコイルバネを設けるとともに該コイルバネの下端部を支えるスリーブをハウジングに載置し、コイルバネの上端部を操作軸に支持してバネ力を傾動復帰手段としたので、操作軸と復帰手段をカシメピンだけでハウジングに止めることができ、従来のレバースイッチと比べて構成部品の部品点数を低減することができるとともに組立が極めて容易であるため、コストを低く抑えることができる。
（３）操作軸のハウジング外側端部近傍に操作部に挿設する膨出部を形成し、緩衝部材を内設した前記操作部内に前記膨出部を挿設後ストップリングを配設し、前記緩衝部材に前記膨出部が当接するとともに前記ストップリングが前記操作部に嵌着して前記膨出部を前記操作部内に配設することで前記操作軸に前記操作部を回動自在に係止したので、操作軸から操作部が離脱することがなく、適度な回転トルクを操作部に与えて空転を防止するとともに快適な操作性を確保することができる。
【図面の簡単な説明】
【図１】  本発明のレバースイッチの第１実施例を表す正面断面図である。
【図２】  本発明のレバースイッチの第１実施例を表す側面断面図である。
【図３】  本発明のレバースイッチの第１実施例を表す分解斜視図である。
【図４】  本発明のレバースイッチの操作状態を表す正面断面図である。
【図５】  本発明のレバースイッチの機器に取付けられた使用状態を表す参考外観透視図である。
【図６】  従来のレバースイッチを表す正面断面図である。
【図７】  他の従来のレバースイッチを表す正面断面図である。
【符号の説明】
１  操作部
２  鋳込み金具
２ａ、２ｂ  凹所
３  操作軸
３ａ  膨出部
３ｂ  段部
３ｃ、６ｄ  横穴部
３ｄ  遮光軸部
４  コイルバネ
５  スリーブ
５ａ  鍔部
６  ハウジング
６ａ  凹所
６ｂ  鍔部
６ｃ  ネジ部
６ｅ  角窓部
７  カシメピン
８  プリント基板
９  フォトインタラプタ
１０  コネクタ
１１  裏蓋
１１ａ  凸部
１２  Ｏリング
１３  ストップリング
１３ａ  欠所
【図１】
0004390094.tif 000002
【図２】
0004390094.tif 000003
【図３】
0004390094.tif 000004
【図４】
0004390094.tif 000005
【図５】
0004390094.tif 000006
【図６】
0004390094.tif 000007
【図７】
0004390094.tif 000008